(57)【要約】【課題】  各種検査データが数字や記号でそのまま表示されているとそれを評価するのが煩わしい。特に多数の対象者の検査データを見る医師等にとっては大変煩わしいことになる。【解決手段】  本発明は、時系列的に、前記検査データが基準値の所定の範囲内にあるときは正常値として文字、数字以外の図形や記号の形態で順次表示し、前記検査データが基準値の所定の範囲外にあるときは異常値として文字、数字以外の図形や記号の形態で前記表示手段に表示する検査データの表示方法であり、これにより各種検査データを視覚によって瞬時に判断することができるものである。【選択図】図３
2020198059.tif 000002
【特許請求の範囲】
【請求項１】
対象者の各種検査データを時系列的に表示するための検査データの表示方法であって、
過去の各種検査データを時系列的に格納する検査データ格納手段と、
各種検査の基準値を格納する基準値格納手段と、
前記検査データ格納手段に格納されている検査データと前記基準値格納手段に格納されている基準値を対比する検査データ対比手段と、
前記検査データと基準値を同時に且つ時系列的に順次表示する表示手段と、
が備えられ、
時系列的に、前記検査データが基準値の所定の範囲内にあるときは正常値として文字、数字以外の図形や記号の形態で順次表示し、前記検査データが基準値の所定の範囲外にあるときは異常値として文字、数字以外の図形や記号の形態で前記表示手段に表示する検査データの表示方法。
【請求項２】
前記検査データには、複数種類の検体検査データおよびバイタル検査データが含まれる請求項１記載の検査データの表示方法。
【請求項３】
前記基準値は、対象者の特質および個性に従い変更可能に設定できるように構成される請求項１もしく２に記載の検査データの表示方法。
【請求項４】
前記異常値は複数の範囲に区分され、前記表示手段に、区分毎に異なる形態の表示がされる請求項１ないし３のいずれかに記載の検査データの表示方法。
【請求項５】
前記異常値は区分毎に異なる色彩で表示する請求項４記載の検査データの表示方法。
【請求項６】
前記正常値は複数の範囲に区分され、前記表示手段に、区分毎に異なる形態の表示がされる請求項１ないし５のいずれかに記載の検査データの表示方法。
【請求項７】
前記各基準値および検査データは、前記表示手段に夫々水平バーの形態で表示する請求項１ないし６のいずれかに記載の検査データの表示方法。
【請求項８】
検査データが高値であればその値に従い前記水平バーが上部に位置するように表示する請求項７記載の検査データの表示方法。
【請求項９】
パニック値は、前記検査データの異常値および正常値と異なる形態の表示がされる請求項４ないし８のいずれかに記載の検査データの表示方法。
【請求項１０】
検査データ自体が併記される請求項１ないし９のいずれかに記載の検査データの表示方法。
【発明の詳細な説明】
【技術分野】
【０００１】  本発明は、対象者（被験者、患者等）の血液、尿等の検体検査データや体重、血圧等のバイタル検査データを時系列的に、煩雑な文字、数字を使用せず図形や記号の形態で順次表示し、医師等がデータを視覚によって瞬時に評価せんとするものである。
また、たとえ医学的知識のない対象者であっても、同一の生活習慣を継続していくと検査データがどのように変化していくかを視覚的に容易に予測できるので、場合によっては、前記対象者に検査データを変更（良好化）すべく生活習慣を変化（改善）させる動機づけを与えることができるものである。【０００２】  例えばある対象者が現在の喫煙、飲食、運動を含む活動や睡眠などの生活習慣を変えることなく生活を続けていた場合の検査データを、時系列的に煩雑な数値や文字で表示するのではなく視覚によって一瞬に把握できる記号や図形で表示するので、今後の動向が容易に予測でき、例えば将来の高血圧や糖尿病などの疾病リスクを前記対象者に知らせ、生活習慣の改善を促すことにより、将来の疾病リスクの低減に繋げようとするものである。
【背景技術】
【先行技術文献】
【特許文献】
【０００３】
【特許文献１】特開平０３−１４７０６７
【発明の開示】
【発明が解決しようとする課題】
【０００４】  上記の特許文献１には、健康状態提示装置などが記載されているが、この文献にはストレス問診結果を複数のレベルに評価して評価値を付与するものであり、検査データが時系列的に煩雑な数値や文字で表示することなく視覚によって一瞬に把握できる記号や図形で表示するものではない。【０００５】  本発明は、各種検査データを時系列的に煩雑な数値や文字で表示することなく視覚によって一瞬に把握できる記号や図形および色彩等で表示し、医師や対象者自身が健康状態を迅速に把握することができ、対象者に、当該検査データから今後の生活習慣を見直す（場合によれば見直さない）指針を与え、具体的な健康指導をせんとするものである。
【課題を解決するための手段】
【０００６】  （１）本発明は、対象者の各種検査データを時系列的に表示するための検査データの表示方法であって、過去の各種検査データを時系列的に格納する検査データ格納手段と、各種検査の基準値を格納する基準値格納手段と、前記検査データ格納手段に格納されている検査データと前記基準値格納手段に格納されている基準値を対比する検査データ対比手段と、前記検査データと基準値を同時に且つ時系列的に順次表示する表示手段と、が備えられ、時系列的に、前記検査データが基準値の所定の範囲内にあるときは正常値として文字、数字以外の図形や記号の形態で順次表示し、前記検査データが基準値の所定の範囲外にあるときは異常値として文字、数字以外の図形や記号の形態で前記表示手段に表示することを特徴とする。【０００７】  本発明では、例えば毎年同時期に同一の検査が実施された場合の各種検査データが、年毎に時系列的に表示され、当該検査データが基準値の所定の範囲内にあるときは正常値として図形や記号および色彩等の形態で、また検査データが基準値の所定の範囲外にあるときは異常値として図形や記号および色彩等の形態で表示手段に表示するので、煩雑な数値を見なくとも、対象者の現在の健康状態が判断でき、その傾向も容易に予測することが可能となる。【０００８】  （２）前記検査データには、複数種類の検体検査データおよびバイタル検査データが含まれることが望ましい。
複数種類の検体検査データおよびバイタル検査データが含まれていると、対象者の健康状態を総合的により正確に判断することが可能となる。【０００９】  （３）前記基準値は、対象者の特質および個性に従い変更可能に設定できるように構成されることが望ましい。
対象者は人種や生活環境によって、その特質や個性が異なることが経験的に知られているので、基準値を固定化すると無理が生じる。そこで、基準値を対象者の特質および個性に従い変更可能に設定できると、柔軟かつ正確な健康状態を把握することができる。【００１０】  （４）前記異常値は複数の範囲に区分され、前記表示手段に、区分毎に異なる形態の表示がされることが望ましい。
異常値と正常値は一定の閾値によって区別されるので、異常値にも正常値に近いものから相当乖離したものまであり、異常値であっても正常値に近いものと乖離したものでは対象者の健康状態を表す指標としては意味が異なってくる。
そこで、異常値は複数の範囲に区分され、前記表示手段に、区分毎に異なる形態の表示がされると対象者に対するきめ細かな健康管理を実施することができる。【００１１】  （５）前記異常値は区分毎に異なる色彩で表示することが望ましい。
例えば、異常値は正常値から乖離するに従い、黄色、橙色、赤色のように変化させるとその乖離の程度が一目瞭然となる。【００１２】  （６）前記正常値は複数の範囲に区分され、前記表示手段に、区分毎に異なる形態の表示がされることが望ましい。
前述のように、異常値にも正常値に近いものから相当乖離したものまであるのと同様に、正常値にも異常値に近いものから乖離したものまで存在する。そこで、正常値も複数の範囲に区分され、前記表示手段に、区分毎に異なる形態の表示がされると対象者に対するきめ細かな健康管理を実施することができる。【００１３】  例えば、対象者のある検査データが、前々年が異常値から乖離した正常値であったのに対して前年は異常値に近い正常値であったとすると、今後同じ生活習慣を続けていくと次年度は異常値になることが予測される。
そのような場合、正常値であっても、表示手段に、区分毎に異なる形態の表示がされると対象者に対するきめ細かな健康管理を実施することができる。【００１４】  （７）前記各基準値および検査データは、前記表示手段に夫々水平バーの形態で表示することが望ましい。
基準値および検査データが夫々水平バーの形態で表示されと視認性が高まり、対象者の健康状態を容易に把握することができる。【００１５】  （８）検査データが高値であればその値に従い前記水平バーが上部に位置するように表示することが望ましい。
検査データが高値であればその値に従い前記水平バーが上部に位置するように表示すると、検査データが上部に行けば行くほど正常値から乖離していることが認識できる。
即ち、異常の状態を鮮明に把握することができる。【００１６】  （９）パニック値は、前記検査データの異常値および正常値と異なる形態の表示がされることが望ましい。
場合によっては対象者の生命にかかわる虞のあるパニック値は、単なる異常値とは異なる形態で表示をすることによって緊急性を喚起することができる。【００１７】  （１０）検査データ自体が併記されることが望ましい。
医師が、図形や記号によって異常値を認識した場合、その具体的な数値をその場で直ちに知ることができる。
【発明の効果】
【００１８】  本発明では、例えば毎年同時期に同一の検査が実施された場合の各種検査データが、年毎に時系列的に表示され、検査データが基準値の所定の範囲内にあるときは正常値として図形や記号の形態で順次表示され、検査データが基準値の所定の範囲外にあるときは異常値として図形や記号の形態で表示手段に表示するので、煩雑な数値を見なくとも、対象者の現在の健康状態が判断でき、その傾向も容易に予測することが可能となる
生活習慣と各種検査データを関連付けて、対象者に、当該検査データから今後の生活習慣を見直す（場合によれば見直さない）指針を与え、具体的な健康指導をすることができ、生活習慣病に対する大きな抑制策を実行し得ることになる。
【図面の簡単な説明】
【００１９】
【図１】本発明の一実施の形態の制御ブロック図である。
【図２】本発明の一実施の形態の検査データの正常と異常の状態の分布を表示する分布図である。この図では正常値を２区分してあるが３区分することも可能である。
【図３】本発明の一実施の形態のある対象者の各種検査データの内容を表示するデータシートである。
【図４】上記図３の二点鎖線の部分の拡大図である。
【図５】上記図４の二点鎖線の部分の更なる拡大図である。
【発明を実施するための形態】
【００２０】  図１は、本発明の一実施の形態を示す制御ブロック図で、バイタル検査データや検体検査データなどの検査データ入力手段１は検査データ格納手段２に接続されており、前記各バイタル検査データや各検体検査データは、時系列的に前記検査データ格納手段２に格納される。
また、前記各バイタル検査データや各検体検査データの基準値を入力する基準値入力手段３は基準値格納手段４に接続され、前記各検査データの基準値は前記基準値格納手段４に格納される。
なお、前記基準値入力手段３によって各種基準値などを変更して入力することができる。
【００２１】  そして、前記検査データ格納手段２や前記基準値格納手段４は検査データ比較手段５に接続され、前記各種検査データとその検査内容に対応する基準値とが検査データ比較手段５によって対比され、正常であるか異常であるか、また正常であっても中央値なのか中央から偏倚した値なのか、更に異常であってもどの程度の異常であるかが判断され、液晶モニタ６に表示する。
【００２２】  この検査項目には、体格（腹囲、体重、ＢＭＩ）、血圧（最高血圧、最低血圧）などのバイタル検査データや、糖代謝（空腹時血糖値、推定平均血糖値、ＨｂＡ１ｃ値）、脂質代謝（ＨＤＬコレステロール、ＬＤＬコレステロール、中性脂肪、肝機能（ＡＳＴ、ＡＬＴ、γ―ＧＴＰ）などの検体検査データが含まれる。
【００２３】  いずれの検査データも図２に示す分布図のいずれかに位置することになり正規分布となる。
なお、ここで基準値、高値、低値は一定の幅を有するものとする
そして、この図２では、基準値を低い基準１と高い基準２に区分し、異常値も高い高値１、高値１よりも高い高値２および高値２よりも高い高値３に区分している。なお、高値３よりも更に高い高値に４区分してもよい。また、異常値も低い低値１、更に低い低値２および低値２よりも低い低値３に３区分している。
【００２４】  そして実際には、基準１と基準２は緑色で表示し、高値１と低値１は黄色、高値２と低値２は橙色、高値３と低値３は赤色に着色する。
なお、高値と低値を異なる色彩で表示してもよいが、そうすると色相が多くなりかえって見難くなる。高値も低値も異常であるなら、異常を一目で判断するためには同一の色彩の方が望ましい。異常の程度を、色彩を変えることによって把握することは迅速な判断に寄与することになる。
【００２５】  図３はある対象者の２００８年から２０１２年までのある対象者の５年間の検査データを表示しているデータシートで、上部に各年の検査日を左から右に時系列的に表示している。
この表示ではこの対象者の最初の検査日が２００８年５月１３日で、最後の検査日が２０１２年５月９日となっており、その間概ね１年毎に１度検査を受けていることが見て取れる。
【００２６】  また前記データシートの左側には、上部から下方にかけて、各種検体検査データであるＧＯＴ、ＧＰＴ、γ−ＧＴＰ，ＡＬＰなどの検査項目を羅列している。
なお、前記データシートにはバイタル検査データは記載されていないが、記載することはもちろん可能である。
そして、各検査日の表示の下部には左側の各検査項目に対応する位置に具体的数値が記載されている。
【００２７】  従って、医師や対象者が検査データの各数値を見ることによって、この対象者の健康状態を把握することができるが、ここに現されている数値自体がどのような意味を持つのかをいちいち判断しなければならず、その作業は煩雑になる。
このような作業に慣れている医師はともかくその対象者には非常にわかりづらい。
そこで、本発明のポイントとなる検査データの表示バーＢを最後の検査日の右下に表示している。
【００２８】  図３ないし図４の実施の形態では、前記表示バーＢは前記検査日に対応させて左から右に水平方向に直列させてある。そして、基準値は下部が緑色、中央部および上部も緑色とし、基準値を３段階に分けてあり、高値１は緑色の上部で黄色、高値２は黄色の上部で橙色、そして高値３は橙色の上部で赤色に着色されている。白色は枠である。
【００２９】  またこの検査では低値は問題とならないので記載はされていないが、必要な場合は、低値１は緑色の下部で黄色、低値２は黄色の下部で橙色、そして低値３は橙色の下部で赤色に着色してもよい。
従って、ある検査データの値が基準値であって中央値である場合は、前記表示バーＢは中央部に位置し緑色に着色され、他の検査データが高値２である場合は、黄色の位置よりも上部に位置し橙色に着色されることになる。
【００３０】  このように、検査データが中央値から高値に至るに従い前記表示バーＢは上部に段階的に移動すると共に、緑色、黄色、橙色そして赤色へと色彩も変化して行く。
従って前記表示バーＢを見た医師等は検査日毎に表示バーＢの上下位置の変化と共に色彩の変化から、現在および過去の健康状態の推移がわかることになる。
なお、問題があると考えられるときは具体的な数値を見ることもできる。
【００３１】  例えば図３ないし図５において、最終の検査日ある２０１２年５月９日の検査データは、ＧＯＴが１８で正常ではあるが少し高めであり、ＧＰＴが２５で正常であるが、γ−ＧＰＴは２６６で高値３となっている。
従って右側の表示バーＢではＧＯＴが上部位置で緑色、ＧＰＴが中央位置で緑色そしてγ−ＧＰＴが最高位置において赤色で表示されることのなり、この対象者は肝機能Ｋの異常が疑われる。
【００３２】  同様に、中性脂肪については最高位置のすぐ下部に橙色で表示されるので脂肪肥り（メタボリックシンドローム）Ｓが疑われる。
更に、血糖値が最高位置のすぐ下部に橙色で表示されるので糖尿病Ｔが疑われる。
前述のように前記表示バーＢを見た医師等は検査日毎に表示バーＢの上下位置の変化と共に色彩の変化から現在および過去の健康状態の推移がわかることになる。
【００３３】  なお、本実施の形態では、表示バーＢの位置を上下させると共に色彩を変化させているが、表示バーＢの位置を上下させず色彩だけを変化させたり、表示バーＢを着色せずに位置を上下させることも可能である。
また、前記基準値入力手段によって、基準値や高値、低値の閾値を対象者の特質および個性に従い変更可能に設定することも可能である。
更に、図には表していないが、パニック値は、前記検査データの異常値および正常値と異なる形態、例えば星印を付けるなどの表示をすることができる。
【符号の説明】
【００３４】  １  検査データ入力手段
２  検査データ格納手段
３  基準値入力手段
４  基準値格納手段
５  検査データ比較手段
６  液晶モニタ
【図１】
2020198059.tif 000003
【図２】
2020198059.tif 000004
【図３】
2020198059.tif 000005
【図４】
2020198059.tif 000006
【図５】
2020198059.tif 000007